(57)【要約】【課題】適合しないデータを受信したとき、表示に適したフォーマットのデータを再送信させるデータ受信装置を提供する。【解決手段】映像信号受信装置４は、対応していない映像フォーマットで映像信号を受信したとき、エラーメッセージを映像表示部４０に表示させる。ユーザは、エラーメッセージを確認し、Ｙｅｓ４００を入力部４２を介して選択する。映像信号受信装置４の制御部４３は、ホットプラグ検出信号として、リセット信号としてのＬｏｗ信号をホットプラグ検出信号送信部４７から一定期間送信する。このとき映像送信装置２の制御部２３は、一定期間Ｌｏｗ信号を受信することで、映像フォーマット等をリセットし、最適な映像フォーマットで映像信号を送信するため、ＥＤＩＤ４８０を再取得し、ＥＤＩＤ４８０に基づいて、最適な映像フォーマットで映像信号を映像信号受信装置４に再送信する。【選択図】図４
2008160653.tif 000002
【特許請求の範囲】
【請求項１】
データを送受信する送受信部と、
前記データの受信に基づいて音声信号または画像信号のデータ出力を行う出力部と、
前記データが前記出力部から出力可能な形式と相違した形式であったとき、前記出力部から出力可能な形式のデータを再送信させるリセット信号を前記送受信部から送信させる制御部とを有することを特徴とするデータ受信装置。
【請求項２】
前記出力部は、画像表示部および音声出力部の少なくとも１つを含むことを特徴とする請求項１に記載のデータ受信装置。
【請求項３】
前記送受信部は、前記リセット信号としてＨＤＭＩ（High Definition Multimedia Interface）規格に準拠したＬｏｗ信号を送信するリセット信号送信部を含むことを特徴とする請求項１に記載のデータ受信装置。
【請求項４】
前記送受信部は、前記リセット信号としてＬｏｗ信号を送信するリセット信号送信部、および前記データの出力可能な形式のデータであるＥＤＩＤ（Extended Display Identification Data）を送信するＥＤＩＤ送信部を含むことを特徴とする請求項１に記載のデータ受信装置。
【請求項５】
前記画像表示部は、前記データが出力可能な形式と相違した形式であったとき、形式の変更の確認をするメッセージを表示することを特徴とする請求項２に記載のデータ受信装置。
【発明の詳細な説明】
【技術分野】
【０００１】
本発明は、データ受信装置に関し、特にＨＤＭＩ規格に準拠してデータを受信するデータ受信装置に関する。
【背景技術】
【０００２】
従来の技術として、複数の映像フォーマットに適合した映像信号出力装置がある（例えば、特許文献１参照）。
【０００３】
この映像信号出力装置は、映像信号に基づいて映像を表示する映像表示装置に接続されている。この映像表示装置は、表示できる、例えば、４８０プログレッシブ、１０８０インターレース等の映像フォーマット情報を映像出力装置に出力する。
【０００４】
映像信号出力装置は、変換可能な映像フォーマット情報と入力した映像フォーマット情報を比較し、両装置間で共通する映像フォーマットを選択し、選択した映像フォーマット情報を映像表示装置へ出力する。
【０００５】
映像表示装置は、選択された映像フォーマット情報を表示画面に表示すると、ユーザは、表示された映像フォーマット情報から表示を希望する映像フォーマットを決定する。
【０００６】
ユーザによって決定された映像フォーマット情報が、映像出力装置に出力されると、映像出力装置は、決定された映像フォーマットで映像信号を映像表示装置へ出力する。
【０００７】
このようにしてユーザは、自ら希望する映像フォーマットで映像を鑑賞することができる。
【特許文献１】特開２００５−１６７８９５号公報
【発明の開示】
【発明が解決しようとする課題】
【０００８】
しかし、従来の映像信号出力装置によると、映像表示装置で表示できない映像フォーマットで映像信号を送信すると、映像表示装置は、例えばエラー表示を表示するだけで適した映像フォーマットの映像信号を映像信号出力装置に再送信させることができなかった。
【０００９】
従って、本発明の目的は、適合しないデータを受信したとき、表示に適したフォーマットのデータを再送信させるデータ受信装置を提供することにある。
【課題を解決するための手段】
【００１０】
本発明は上記目的を達成するため、データを送受信する送受信部と、前記データの受信に基づいて音声信号または画像信号のデータ出力を行う出力部と、前記データが前記出力部から出力可能な形式と相違した形式であったとき、前記出力部から出力可能な形式のデータを再送信させるリセット信号を前記送受信部から送信させる制御部とを有することを特徴とするデータ受信装置を提供する。
【００１１】
このような構成によれば、適合しないデータを受信したとき、表示に適したフォーマットのデータを再送信させるデータ受信装置を提供することができる。
【発明の効果】
【００１２】
本発明によれば、適合しないデータを受信したとき、表示に適したフォーマットのデータを再送信させることができる。
【発明を実施するための最良の形態】
【００１３】
［実施の形態］
（映像表示システムの構成）
図１は、本発明の実施の形態に係る映像表示システムの概略図の一例である。
【００１４】
映像表示システム１は、再生時間等を表示する表示部２０を有し、ＨＤＭＩ規格に準拠するＨＤＭＩ端子を有する映像信号送信装置２と、映像信号等が伝播するＨＤＭＩ規格に準拠するＨＤＭＩケーブル３と、映像が表示される映像表示部４０と音声を出力する音声出力部４１とを有し、ＨＤＭＩ規格に準拠するＨＤＭＩ端子を有するデータ受信装置としての映像信号受信装置４とで構成される。
【００１５】
一例として、映像信号送信装置２は、ストリーミング映像送信装置、ＤＶＤ（Digital Versatile Disk）プレイヤ、チューナ、およびセットトップボックス等であるが、これに限定されない。
【００１６】
また、一例として、映像信号受信装置４は、テレビ受像機およびＰＣ（Personal Computer）用のモニタ装置等であるが、これに限定されない。
【００１７】
ＨＤＭＩ規格は、ＰＣと画像表示装置の接続標準規格であるＤＶＩ（Digital Visual Interface）に、音声伝送機能や著作権保護機能、色差伝送機能を付加した規格である。
【００１８】
図２は、本発明の実施の形態に係る映像表示システムのブロック図の一例である。映像信号送信装置２は、表示部２０と、各種操作が可能な入力部２１と、映像データ２２０等を記憶する記憶部２２と、各部を総括的に制御する制御部２３と、ＨＤＭＩケーブル３と接続するＨＤＭＩ端子２４とを有する。
【００１９】
ＨＤＭＩ端子２４の主なピン配列は、ＴＭＤＳ（Transition Minimized Differential Signaling）と、＋５Ｖ電源と、ホットプラグ検出と、ＤＤＣ（Display Data Channel）と、ＣＥＣ（Consumer Electronics Control）とから成り立っている。
【００２０】
ＨＤＭＩ端子２４は、映像信号等を送信するＴＭＤＳ送信部２５と、接続したことを相手側に伝える信号である＋５Ｖ電源信号を出力する＋５Ｖ電源信号出力部２６と、ホットプラグ検出信号を受信するホットプラグ検出信号受信部２７と、接続された相手側装置の製品情報や適合する映像フォーマット等のデータであるＥＤＩＤ４８０を受信するＥＤＩＤ受信部２８と、装置制御信号と制御プロトコルであるＣＥＣを送受信するＣＥＣ送受信部２９とを有する。
【００２１】
ホットプラグ検出信号は、ＨＤＭＩ規格に準拠した装置同士の通信が成立しているとき、Ｈｉｇｈ信号を送信して相手側装置の認証動作を開始し、成立していないとき、Ｌｏｗ信号を送信する。
【００２２】
ＨＤＭＩケーブル３は、ＨＤＭＩ端子２４、４４と接続し、１９ピンを有するタイプと、２９ピンを有するタイプがある。この実施の形態では、１９ピンを有するＨＤＭＩケーブル３を用いることにする。
【００２３】
映像信号受信装置４は、映像表示部４０と、音声を再生し、出力する音声出力部４１と、各種操作が可能な入力部４２と、各部を制御する制御部４３と、ＨＤＭＩケーブル３と接続するＨＤＭＩ端子４４とを有する。
【００２４】
ＨＤＭＩ端子４４は、ＴＭＤＳを受信するＴＭＤＳ受信部４５と、＋５Ｖ電源信号を受信する＋５Ｖ電源信号受信部４６と、ホットプラグ検出信号を送信するリセット信号送信部としてのホットプラグ検出信号送信部４７と、ＥＤＩＤ４８０を有し、ＥＤＩＤ４８０を送信するＥＤＩＤ送信部４８と、ＣＥＣを送受信するＣＥＣ送受信部４９とを有する。
【００２５】
（実施の形態の動作）
以下に本発明の実施の形態の動作を図１から図３を参照しつつ、図４のタイミングチャートに従って説明する。
【００２６】
図３は、本発明の実施の形態に係る映像表示部にエラーメッセージが表示された図の一例である。映像信号送信装置２が、対応しない映像フォーマットで映像信号受信装置４に映像信号を出力した場合を表している。
【００２７】
ユーザは、各装置のＨＤＭＩ端子にＨＤＭＩケーブル３を接続し、映像信号送信装置２と映像信号受信装置４の電源を入る。
【００２８】
映像信号送信装置２の＋５Ｖ電源信号出力部２６は、映像信号受信装置４に＋５Ｖ電源信号を送信する（Ｓ１）。
【００２９】
映像信号受信装置４の制御部４３は、＋５Ｖ電源信号受信部４６によって＋５Ｖ電源信号を受信し、映像信号を受信する準備が整った後、ホットプラグ検出信号（Ｈｉｇｈ信号）をホットプラグ検出信号送信部４７から映像信号送信装置２に送信する（Ｓ２）。
【００３０】
映像信号送信装置２の制御部２３は、ホットプラグ検出信号受信部２７でホットプラグ検出信号を受信した後、映像信号受信装置４からＥＤＩＤ４８０を取得する（Ｓ３）。
【００３１】
ユーザは、記憶部２２に記憶された映像データ２２０の再生を入力部２１を介して指示する。
【００３２】
映像信号送信装置２の制御部２３は、入力部２１からの指示信号に基づいて記憶部２２から対応する映像データ２２０を読出し、また、ＥＤＩＤ４８０に基づいて適切な映像フォーマットを選択して、映像データ２２０を映像信号としてＴＭＤＳ送信部２５から送信する（Ｓ４）。
【００３３】
映像信号受信装置４の制御部４３は、ＴＭＤＳ受信部４５から映像信号を受信し、これを処理して、映像を映像表示部４０に表示させ、音声を音声出力部４１から出力させる。
【００３４】
ここで一例として、映像信号受信装置４が、映像フォーマットとして、４８０プログレッシブ、１０８０プログレッシブおよび１０８０インターレースに対応しているとき、ユーザが、映像信号受信装置４が対応していない７２０インターレースの映像フォーマットを選択すると、映像信号送信装置２は、選択された映像フォーマットで映像信号を送信してしまう（Ｓ５）。
【００３５】
このとき映像信号受信装置４の制御部４３は、対応していない映像フォーマットで映像信号を受信したので、図３に示す映像フォーマットの切り替えを促すエラーメッセージを作成し、映像表示部４０に表示させる。
【００３６】
ユーザは、映像表示部４０に表示されたエラーメッセージを確認し、Ｙｅｓ４００または、Ｎｏ４０１を入力部４２を介して選択する。ユーザが、Ｎｏ４０１を選択するとき、映像信号受信装置４は、表示できない映像フォーマットで映像信号を表示しなければならないので、エラーメッセージを再び表示するか、一例として、「表示できません」等のメッセージを映像表示部４０に表示させても良いし、これに限定されない。
【００３７】
ユーザが、Ｙｅｓ４００を入力部４２を介して選択したとき、映像信号受信装置４の制御部４３は、ホットプラグ検出信号として、リセット信号としてのＬｏｗ信号をホットプラグ検出信号送信部４７から一定期間送信する（Ｓ６）。一定期間とは、一例として、１００ｍｓ以上で４００〜５００ｍｓの間である。
【００３８】
映像信号送信装置２の制御部２３は、ホットプラグ検出信号受信部２７でＬｏｗ信号を受信する。
【００３９】
このとき制御部２３は、一定期間Ｌｏｗ信号を受信することで、ユーザによって選択された映像フォーマット等をリセットする。
【００４０】
映像信号受信装置４の制御部４３は、映像信号を受信する準備が整った後、ホットプラグ検出信号（Ｈｉｇｈ信号）をホットプラグ検出信号送信部４７から映像信号送信装置２に送信する（Ｓ７）。
【００４１】
映像信号送信装置２の制御部２３は、ホットプラグ検出信号受信部２７でホットプラグ検出信号を受信した後、映像信号受信装置４からＥＤＩＤ４８０を取得する（Ｓ８）。
【００４２】
映像信号送信装置２の制御部２３は、ＥＤＩＤ４８０をＥＤＩＤ受信部２８で受信し、ＥＤＩＤ４８０に基づいて、映像信号受信装置４が対応する最適な映像フォーマットで映像信号を再送信し、映像信号受信装置４の制御部４３は、ＴＭＤＳ受信部４５によって対応した映像フォーマットの映像信号を受信し、これを処理して映像表示部４０と音声出力部４１に送信し、映像表示部４０は対応する映像を表示し、音声出力部４１は、対応する音声を再生する（Ｓ９）。
【００４３】
（実施の形態の効果）
上記した実施の形態によると、映像信号受信装置４は、対応してない映像フォーマットで映像信号を送信されても、ホットプラグ検出信号として一定期間Ｌｏｗ信号を映像信号送信装置２に送信することで、映像信号送信装置２をリセットし、最適な映像フォーマットの映像信号を映像信号送信装置２に再送信させることができる。
【００４４】
なお、本発明は、上記した実施の形態に限定されず、本発明の技術思想を逸脱あるいは変更しない範囲内で種々の変形が可能である。
【図面の簡単な説明】
【００４５】
【図１】本発明の実施の形態に係る映像表示システムの概略図の一例である。
【図２】本発明の実施の形態に係る映像表示システムのブロック図の一例である。
【図３】本発明の実施の形態に係る映像表示部にエラーメッセージが表示された図の一例である。
【図４】本発明の実施の形態に係るタイミングチャートである。
【符号の説明】
【００４６】
１・・・映像表示システム、２・・・映像信号送信装置、３・・・ＨＤＭＩケーブル、４・・・映像信号受信装置、２０・・・表示部、２１・・・入力部、２２・・・記憶部、２３・・・制御部、２４・・・ＨＤＭＩ端子、２５・・・ＴＭＤＳ送信部、２６・・・＋５Ｖ電源信号出力部、２７・・・ホットプラグ検出信号受信部、２８・・・ＥＤＩＤ受信部、２９・・・ＣＥＣ送受信部、４０・・・映像表示部、４１・・・音声出力部、４２・・・入力部、４３・・・制御部、４４・・・ＨＤＭＩ端子、４５・・・ＴＭＤＳ受信部、４６・・・＋５Ｖ電源信号受信部、４７・・・ホットプラグ検出信号送信部、４８・・・ＥＤＩＤ送信部、４９・・・ＣＥＣ送受信部、２２０・・・映像データ、４８０・・・ＥＤＩＤ
【図１】
2008160653.tif 000003
【図２】
2008160653.tif 000004
【図３】
2008160653.tif 000005
【図４】
2008160653.tif 000006